(57)【要約】【課題】安価で、簡易に取り付けることができ、簡易に使用でき、特に上述の高圧線送電塔への迅速、確実かつ単純な上昇を可能にする装置を提供すること。【解決手段】高圧線送電塔、風力タービンのための鉄塔、建造物、高層倉庫などのような高さあるいは少なくとも大幅な垂直方向の距離を克服するための装置であって、少なくとも長手方向に延在するレール状の１つの形鋼又はガイド要素と、前記形鋼又はガイド要素に沿って昇降移動可能な駆動部分３及び少なくとも１人の人又は荷物を受容するためのプラットフォーム５で構成され、前記形鋼に着脱自在に固定された少なくとも１つのリフト要素とを備え、前記リフト要素又は外部のエネルギー源において設けられた、電池、バッテリ又は燃料タンクのようなエネルギー貯蔵装置から駆動部へエネルギー供給可能である。
2014512318.tif 000002
【特許請求の範囲】
【請求項１】
特に高圧線送電塔、風力タービンのための鉄塔、建造物、高層倉庫などのような高さあるいは少なくとも大幅な垂直方向の距離を克服するための装置であって、
−  少なくとも長手方向に延在するレール状の１つの形鋼（７）又はガイド要素と、
−  前記形鋼又はガイド要素に沿って昇降移動可能な駆動部分（３）及び少なくとも１人の人又は荷物を受容するためのプラットフォーム（５）で構成され、前記形鋼に着脱自在に固定された少なくとも１つのリフト要素と
を備え、前記リフト要素又は外部のエネルギー源において設けられた、電池（４９）、バッテリ又は燃料タンクのようなエネルギー貯蔵装置から駆動部へエネルギー供給可能である前記装置。
【請求項２】
前記電池（４９）、前記バッテリ又は前記燃料タンクのような前記エネルギー貯蔵装置が、着脱自在に前記リフト要素、好ましくは前記プラットフォーム（５）に配置されていることを特徴とする請求項１記載の装置。
【請求項３】
前記プラットフォーム（５）が、前記駆動部分（３）に着脱自在に結合されていることを特徴とする請求項１又は２記載の装置。
【請求項４】
前記リフト要素が、レール状の前記形鋼によって支持可能でありつつ独立しているとともに、持ち運び性及び耐負荷性のために、少なくとも部分的にアルミニウム若しくはアルミニウム合金、繊維強化性複合材料及び／又はこれに類似のもので構成された軽量構造で製造されていることを特徴とする請求項１〜３のいずれか１項に記載の装置。
【請求項５】
レール状の前記形鋼がＵ字状、Ｖ字状又は少なくともほぼ直線状であるバンド状に形成されていること、及び前記形鋼が、前記駆動部分において、長手方向に見てそれぞれ側方で包囲する固定部材を備えており、前記駆動部分の前記形鋼における確実な固定を保障するために、前記固定部材がその固定する位置において係合可能であることを特徴とする請求項１〜４のいずれか１項に記載の装置。
【請求項６】
駆動部からレール状の前記形鋼におけるラック状の孔又は開口部へ力を伝達するために、前記駆動部分が少なくとも１つの歯車を備えていることを特徴とする請求項１〜５のいずれか１項に記載の装置。
【請求項７】
前記駆動部分に非常停止装置が設けられており、該非常停止装置が、基準から外れた動作条件において自動的に非常停止が作動されるよう位置センサ、運動センサ及び／又は速度センサに接続されていることを特徴とする請求項１〜５のいずれか１項に記載の装置。
【請求項８】
レール状の前記形鋼が、長手方向に延在する１つのラック部を少なくとも備えた、互いに接合可能又は差込可能な少なくとも２つ又はそれより多くの形鋼要素から成り、該形鋼要素それぞれの少なくとも１つの壁部において延在しつつ均等な間隔をあけられた穿孔部が存在するとともに、該穿孔部が前記ラック部に連結されていること、及びそれぞれ２つの前記形鋼要素が、これら両形鋼要素の各壁部に隣接するために設けられつつ長手方向に延在する他の穿孔部を有する少なくとも１つの他の壁部を備えた結合要素に結合されており、前記穿孔部が前記各形鋼要素の壁部における前記穿孔部と等しいものであり、これら穿孔部が前記壁部において一致した間隔をあけられており、そのため等しいものであり、前記形鋼要素及び前記結合要素を前記穿孔部内で互いに固結するために、リベット、ボルト、差込ピンなどのような前記結合部材が設けられていることを特徴とする請求項１〜７のいずれか１項に記載の装置。
【請求項９】
前記固定部材が、前記駆動部分のレール状の前記形鋼への当接時に、それぞれの側方において前記形鋼を後方から係合するようにロック可能あるいは折畳み可能であることを特徴とする請求項５〜８のいずれか１項に記載の装置。
【請求項１０】
前記リフト要素を使用する人を保護するために人用安全装置のような安全装置が設けられていること、及び前記リフト要素の動作を場合によっては規則に適合しない安全装置を停止させるために前記安全装置の確実な動作の指示を検出する他の検出手段が設けられていることを特徴とする請求項１〜９のいずれか１項に記載の装置。
【請求項１１】
前記プラットフォームの交換によっても前記エネルギー貯蔵装置の交換が可能であるか、あるいは前記駆動部分から離間して前記エネルギー貯蔵装置の再充電が実現可能であるよう、前記エネルギー貯蔵装置が前記プラットフォームに着脱自在に配置されていることを特徴とする請求項１〜１０のいずれか１項に記載の装置。
【請求項１２】
前記駆動部分あるいは前記リフト要素が、無線で遠隔制御されて動作可能であることを特徴とする請求項１〜１１のいずれか１項に記載の装置。
【請求項１３】
高圧線送電塔、風力タービンの鉄塔及びこれらに類似のもののような高い鉄塔へ登るための方法において、
前記鉄塔に固定されつつ長手方向に延長されたレール状の形鋼又はガイド要素において、該形鋼又はガイド要素から独立し、持ち運び可能であり、好ましくは耐負荷性の前記形鋼又は前記ガイド要素におけるリフト要素が、前記形鋼又は前記ガイド要素に後方から係合するか、若しくはこれに係合する係入可能な保持部材によって配置されること、駆動部分に着脱自在に結合されるプラットフォームが少なくとも１人の人によって上昇されるか、又は荷物によって負荷をうけること、及び前記駆動部分が、レール状の前記形鋼又は前記ガイド要素に沿って前記鉄塔において上方へ走行するために、電池、バッテリ若しくは燃料タンクのようなエネルギー貯蔵装置又は外部のエネルギー源からエネルギー供給されて作動されることを特徴とする方法。
【請求項１４】
上昇の終了後及び再度の下降後、場合によっては他の鉄塔へ登るために使用するために、特に駆動部分であるリフト要素が、再度レール状の前記形鋼又は前記ガイド要素から離間されることを特徴とする請求項１３記載の方法。
【発明の詳細な説明】
【技術分野】
【０００１】
本発明は、例えば高圧線送電塔及び風力タービン鉄塔に登るための、請求項１に基づく内容による装置並びに例えば高圧線送電塔又は風力タービン鉄塔の固定のための方法に関するものである。
【背景技術】
【０００２】
例えば高圧線送電塔、風力タービンのための鉄塔などのような高い鉄塔についてのメンテナンス作業及び修理作業のために、高められた安全性要求が重要であり、そのため、手間がかかり、かつ、コストのかかるリフトシステム又はガイドシステムをこれら鉄塔内又はこれら鉄塔に配置する必要がある。しかしながら、ガイドへの昇降は危険であり、例えばダルムシュタット工科大学の調査によれば、事故のうち約７０％が、例えば上述のような高圧線送電塔に固設されたガイドの上昇に関連して起きている。
【０００３】
従来技術においては一連のいわゆる上昇補助具が記載されており、これら上昇補助具は、高い物体に登るために提案されている。例えば、特許文献１には、上方へ垂直に延びる区間を進むための装置が開示されている。これには、筋力によって操作可能な上昇補助具が記載されており、この上昇補助具は、位置固定されて設けられたガイドにおいてキャタピラ状に昇降移動可能となっている。他の上昇補助具が例えば引用文献２〜４に記載されている。
【０００４】
また、特許文献５には救助ガイド又は救助リフトのような救助装置が記載されており、この救助装置は、建物の正面において、ラック状に形成されたガイド面を昇降移動できるようになっている。このとき、救助されるべき人がベルトシステムによってスライダ又はリフトに保持され、その他、人の確実な救助が可能となるよう、自動的に作用するブレーキシステムが設けられている。このようなシステムは、動作において手間がかかりすぎ、コストが大きすぎ、及び鈍重すぎるため、ドイツのみで５０００００本に達する高圧線送電塔に対して不適である。
【０００５】
そして、特許文献６には例えば高圧線送電塔の上昇及び／又は下降のための装置が記載されており、主に、手動にもモータによる駆動にも使用可能な２つの分離された上昇コンソールによって上昇がなされるようになっている。１つの実施形態によれば、両上昇コンソールを互いに連結してリフトとして動作させることが提案されている。
【先行技術文献】
【特許文献】
【０００６】
【特許文献１】独国特許出願公開第１０２０１９６５号明細書
【特許文献２】米国特許第３９６８８５８号明細書
【特許文献３】米国特許第４３１００７０号明細書
【特許文献４】国際公開第２００７／０５１３４１号
【特許文献５】米国特許第４８２８０７２号明細書
【特許文献６】国際公開第２００５／０１６４６１号明細書
【特許文献７】国際公開第２００９／０３４０１０号
【発明の概要】
【発明が解決しようとする課題】
【０００７】
しかしながら、全ての公知のシステムは、例えば上述の高圧線送電塔の上昇が高い安全性規定により非常に時間がかかるとともに面倒であり、当該システムが特に特に想定されるコスト、特に動作におけるコストが大きすぎるという欠点を有している。
【０００８】
他の欠点は、上昇装置あるいはリフトの重量が大きく、その結果、様々な鉄塔における使用が、例えば運搬車両による鉄塔から次の鉄塔への面倒な運搬を引き起こすという点にある。
【０００９】
そこで、本発明の目的とするところは、安価で、簡易に取り付けることができ、簡易に使用でき、特に上述の高圧線送電塔への迅速、確実かつ単純な上昇を可能にする装置を提供することにある。
【００１０】
本発明の他の目的は、鉄塔に配置された固定用形鋼から独立しているとともに様々な鉄塔において使用可能であるかあるいは持ち運び可能であって容易に運搬可能な上昇装置を提供することにもある。
【課題を解決するための手段】
【００１１】
請求項１の記載に基づく装置が提案される。
【００１２】
また、特に高圧線送電塔、風力タービンのための鉄塔、建造物、高層倉庫などを登るための装置が提案されており、この装置は、長手方向に延在するレール状の１つの形鋼又はガイド要素と、前記形鋼又はガイド要素に着脱自在に固定可能であり、支持可能であり、持ち運び可能な、前記形鋼又はガイド要素に沿って昇降移動可能な駆動部分及び少なくとも１人の人又は荷物を受容するためのプラットフォームで構成されたリフト要素とを備え、リフト要素又は外部のエネルギー源において設けられた、電池、バッテリ又は燃料タンクのようなエネルギー貯蔵装置から駆動部又は前記駆動部分へエネルギー供給可能である。
【００１３】
また、前記電池又は前記バッテリを、着脱自在に前記リフト要素、好ましくは前記プラットフォームに配置することが可能である。
【００１４】
一実施形態によれば、前記プラットフォームを前記駆動部分に着脱自在に結合させることが提案される。
【００１５】
また、一実施形態によれば、前記リフト要素を、全体としての耐負荷性を保障するために、部分的にアルミニウム若しくはアルミニウム合金、繊維強化性複合材料及び／又はこれに類似のもので構成された軽量構造で製造することが提案される。
【００１６】
他の実施形態によれば、レール状の前記形鋼をＵ字状、Ｖ字状又は少なくともほぼ直線状であるバンド状に形成すること、及び前記形鋼が、前記駆動部分において、長手方向に見てそれぞれ側方で包囲する固定部材を備えており、前記駆動部分の前記形鋼における確実な固定を保障するために、前記固定部材がその固定する位置において係合可能であることが提案される。
【００１７】
さらに、駆動部からラック状の孔又は開口部を有するレール状の前記形鋼へ力を伝達するために、前記駆動部分が少なくとも１つの歯車を備えていることが提案される。
【００１８】
また、前記駆動部分に前記ラックに係入可能な少なくとも１つの非常停止装置が設けられており、該非常停止装置が、位置センサ、運動センサ及び／又は速度センサに接続されていることが提案される。
【００１９】
また、他の実施形態によれば、レール状の前記形鋼が、長手方向に延在する１つのラック部を備えた、互いに接合可能又は差込可能な少なくとも２つ又はそれより多くの形鋼要素から成ることが提案される。形鋼要素それぞれの少なくとも１つの壁部において、前記ラック部に一致しつつ均等な間隔をあけられた穿孔部を有する長手方向のパターン要素が配置されている。また、各形鋼要素の壁部で長手方向に延在しつつ前記穿孔部に一致したすなわち等しい穿孔部に隣接するために、それぞれ２つの前記形鋼要素の間にそれぞれ他の壁部を有する結合要素が設けられている。また、前記ラック部分が１つの形鋼要素から他の形鋼要素へ一定に移行するよう、複数の形鋼要素及び前記結合要素が、前記穿孔部の孔に配置されたリベット、ピン、ボルトなどによって互いに結合されている。
【００２０】
また、長手方向に延在する形鋼の代わりに、リフト要素が、柱のようなガイド要素、１つ若しくは複数の棒状要素又は１つ若しくは複数のワイヤロープにおいて昇降移動することが可能である。
【００２１】
さらに、例えばスライドローラのような前記固定部材が、前記駆動部分のレール状の前記形鋼又は前記ガイド要素への当接時に、それぞれの側方において前記形鋼を後方から係合するようにロック可能あるいは折畳み可能であることが提案される。
【００２２】
本発明による装置の他の実施形態は、従属請求項において特徴付けられている。
【００２３】
また、高圧線送電塔、風力タービンの鉄塔及びこれらに類似のもののような鉄塔へ登るための方法において、前記鉄塔に固定されつつ長手方向に延長されたレール状の形鋼又はガイド要素に、該形鋼又はガイド要素から独立しつつ着脱自在なリフト要素を前記形鋼に配置し、該リフト要素が、各側方において、前記形鋼又は前記ガイド要素に後方から係合するか、若しくはこれに係合する係入可能な保持部材によって配置されることが提案される。また、駆動部分に着脱自在に結合されるプラットフォームが少なくとも１人の人によって上昇されるか、又は荷物によって負荷を受け、前記駆動部分が、レール状の前記形鋼又は前記ガイド要素に沿って前記鉄塔において上方へ走行するために、電池、若しくはバッテリのようなエネルギー貯蔵装置又は外部のエネルギー源からエネルギー供給／作動され、このとき、場合によって前記エネルギー貯蔵装置が前記リフト要素に配置されている。
【発明の効果】
【００２４】
本発明によれば、安価で、簡易に取り付けることができ、簡易に使用でき、特に上述の高圧線送電塔への迅速、確実かつ単純な上昇を可能にする装置を提供することが可能であるとともに、鉄塔に配置された固定用形鋼から独立しているとともに様々な鉄塔において使用可能であるかあるいは持ち運び可能であって容易に運搬可能な上昇装置を提供することも可能である。
【図面の簡単な説明】
【００２５】
【図１ａ】本発明によるリフト要素を異なる視点から示す斜視図である。
【図１ｂ】本発明によるリフト要素を異なる視点から示す斜視図である。
【図２ａ】本発明によるリフト要素を異なる視点から示す斜視図である。
【図２ｂ】本発明によるリフト要素を異なる視点から示す斜視図である。
【図３】結合されるべき２つのレール状の形鋼及び結合のために設けられた結合要素を概略的に示す斜視図である。
【図４】本発明によるリフト要素をレール状の形鋼の断面を含む重要な個々の部材に分解して示す図である。
【図５】本発明によるリフト要素の駆動モータを概略的に示す斜視図である。
【図６】リフト要素のプラットフォームの斜視図である。
【図７ａ】レール状の形鋼へのフィルと要素の固定した配置を示す図である。
【図７ｂ】レール状の形鋼へのフィルと要素の固定した配置を示す図である。
【図７ｃ】レール状の形鋼へのフィルと要素の固定した配置を示す図である。
【図７ｄ】レール状の形鋼へのフィルと要素の固定した配置を示す図である。
【図８ａ】リフト要素の非常停止装置の機能を示す断面図である。
【図８ｂ】リフト要素の非常停止装置の機能を示す断面図である。
【図９】リフト要素の操作コンソールを示す斜視図である。
【図１０ａ】リフト要素の持ち運びユニットの概略を示す図である。
【図１０ｂ】リフト要素の持ち運びユニットの概略を示す図である。
【図１０ｃ】リフト要素の持ち運びユニットの概略を示す図である。
【図１１】レール状の形鋼を鉄塔へ固定するための固定要素を概略的に示す斜視図である。
【図１２】鉄塔において、本発明によるリフト要素によって、レール状の形鋼に沿って上昇する人を示す図である。
【発明を実施するための形態】
【００２６】
以下に本発明の実施の形態を添付図面に基づいて説明する。
【００２７】
図１には本発明によるリフト要素１の異なる２つの視点における斜視図が示されており、このリフト要素は、例えば高圧線送電塔における修理作業において人の昇降に寄与するものである。本発明によるリフト要素１は、主に２つのメイン部分、すなわち駆動及びガイド部３と、人又は荷物の土台としての役割を果たすために設けられたプラットフォーム５とを備えている。
【００２８】
図２には、ここでも、長手方向に延在するレール上の形鋼７に取り付けられたリフト要素１の異なる２つの視点における斜視図が示されている。駆動部分３は形鋼７に固設されているが、この固定の形態については後述する。駆動部分３に結合されたプラットフォーム５上には、人２が存在し、この人は、例えば修理作業又は取付作業のために、高圧線送電塔を昇る必要がある。そして、形鋼７には固定要素又は固定ハンガ９が設けられており、この固定要素又は固定ハンガを用いて、形鋼７又はガイド部材が鉄塔に固設されている。なお、プラットフォームの代わりに人用のシートを設けることも当然可能である。
【００２９】
図３には、ここでも、概略的かつ斜視図において、リフト要素あるいは例えば修理作業の実行のためにリフトを使用した人の昇降用の高圧線送電塔に沿ったレール状の形鋼全体の形成のためにどのように２つの形鋼要素が互いに結合されるかが示されている。図３に示された形鋼要素１０１’，１０１”は、Ｕ字状の形鋼のコーナ部に配置された長手パイプ１１５’，１１５”と共にＵ字状の断面を備えている。図３から明らかに分かるように、形鋼要素１０１’，１０１”は長手方向に延在するラック部分１０５’，１０５”を備えており、このラック部分は、このラック部分に係合する歯車によって駆動部分が形鋼に沿って上方及び下方へ移動できるようになっている。両形鋼要素１０１’，１０１”の接合のために、ラック部分１０５’，１０５”が一方の形鋼から次の形鋼へ同様の間隔をもって連続していることが重要である。この理由から、ラック部１０５’，１０５”の同様の間隔を保証するために、少なくとも１つの結合要素１２１の使用が提案される。また、両形鋼要素は、側方の２つの脚部面１０９’，１０９”において長手方向へ延在しつつ個々の孔１１３’，１１３”を有する穿孔部１１１’，１１１”を備えている。両形鋼に対して鏡面対称に同様にＵ字状に形成された結合要素１２１の両脚部面１０９’，１０９”において、同様にそれぞれ長手方向に延在しつつ個々の孔１２７を有する穿孔部１２５が設けられている。個々の孔１２７は、孔１１３’，１１３”のように少なくともほぼ同様の孔断面を備えているとともに、同様に間隔をあけられている。穿孔部は正確に重なり合って配置されており、これにより、例えば図３において示されたリベット１２９による、結合要素１２１の両形鋼要素１０１’，１０２’への結合が可能となる。リベットの挿入は、例えばいわゆる電池動作式のリベットガンを用いて最も簡易な形態で行われる。ラック部１０５’，１０５”が一方の形鋼から次の形鋼へ同様の間隔をもって連続していることは、側壁部における各孔の間隔が一方ではラック部１０５’，１０５”の個々の孔１０７’，１０７”へ整列されているとともに同様に間隔をあけられていることによって達成される。２つの形鋼要素の図３に示された結合はその他の点では特許文献７において開示されており、これについて、この特許文献７の内容は本発明の構成要素として含まれるものである。形鋼要素１０１’，１０１”の結合は、ピン１３３によってなされる。
【００３０】
図４には、リフト要素の個々の部分が概略的に示されているとともに長手方向に延在するレール状の形鋼７が断面において示されている。駆動部分３は例えば２つのモータユニット１５’，１５”を備えており、これらモータユニットは、レール状の形鋼７に沿ってリフト要素を上方及び下方へ移動させる役割を担うものである。なお、このモータユニットについては、図５において別に詳細に説明する。
【００３１】
駆動部分の上端部にはヘッド部１３が設けられており、このヘッド部は、特に把持部、操作要素、表示部、速度センサなどを備えている。このヘッド部については、図９において詳細に説明する。カバー２１を有する電子部品ケーシング１９においては、セーフティリレー、コントローラ、無線通信装置、非常停止装置などの駆動部分の動作に必要な様々な要素が配置されている。図４には２つの非常停止装置１９が概略的に示されているが、その機能については、図８に関連して詳細に説明する。駆動部分の下端部にはプラットフォーム支持部材２３が設けられており、このプラットフォーム支持部材には、例えば機械的又は電気的な接続部を用いてプラットフォーム５を固設することができるようになっている。また、人用の立面を有するプラットフォーム５には、一方に、バッテリ又は電池のためのホルダ及び対応する充電電子部品が設けられている。
【００３２】
図５には、レール状の形鋼からの視点から見た駆動モータ１５’，１５”の概要が斜視図で示されている。駆動部のために複数の歯車３７が設けられており、これら歯車は、例えば一体化されたかみ合い継手に結合されることが可能である。歯車３７の駆動は駆動モータによってなされ、この駆動モータは、駆動部カバー３１によって側部でそれぞれ覆われている。駆動部分あるいはリフト要素のガイドのためにガイドローラ３３，３４が設けられており、ガイドローラ３４は、例えば駆動部分のレール状の形鋼又はガイド部材への固設時にそれぞれ旋回軸４２周りに旋回可能となっている。駆動モータのメインケーシングあるいは電子部品ケーシングとの結合のため、又はプラットフォームの結合のために、カム状のピン４１が設けられている。
【００３３】
図６には下側から見たプラットフォーム５が例えば透明なカバーと共に示されており、そのため、プラットフォーム５に配置された例えばリチウムリン酸鉄電池セルである電池セル４９が見て取れる。側方には充電電子部品が符号４７で概略的に示されており、駆動部分のエネルギー供給を遮断するために、同時にメインスイッチを設けることが可能である。プラットフォーム５における前側には、駆動部分のための電子コネクタ５１が設けられているとともに、各側方には、駆動部分における固定のための脚部５２が設けられている。なお、この脚部には機械式のロック部材４５を配置することができる。
【００３４】
このようなプラットフォーム５の駆動部分からの着脱性の利点は、いつでも電池の充電のためにこの電池をプラットフォームと共に分離することができるとともに、例えば把持部５３を用いることで容易に持ち運ぶことができることにある。また、プラットフォームの駆動部分からの分離により、リフト要素全体を本質的に容易に持ち運ぶことが可能である。なぜなら、これにより良好に持ち運び可能な２つの要素が得られる一方、リフト要素全体を手動で持ち運ぶことはやはり困難であるためである。また、プラットフォームの取外し性により、特に電池が故障したり、又は新たな世代の電池を使用すべき場合に、異なる電池を使用可能とすることができる。
【００３５】
図７に基づき、本発明によるリフト要素がどのようにレール状の形鋼７に固定して位置決めされるべきかが概略的に示されている。工程全体が図７ａ及び図７ｂに概略的に示されている。
【００３６】
図７ａには上側から見た駆動部分３が示されており、したがって、操作要素を備えたヘッド部１３と、側方へ突出した駆動部のカバー３１が視認可能となっている。駆動部分３は、レール状の形鋼７に固定して配置されるようになっており、この形鋼においては、結合要素１２１が視認可能となっているとともに、形鋼のコーナ部に配置された４つの長手パイプ１１５も視認できる。形鋼７は、その側において取付要素９を介して高圧線送電塔６に固定して配置されている。駆動部分３の固定した配置のために、側方で離間するように旋回する２つのガイドローラ３４が設けられており、これらガイドローラは、取付時にレール状の形鋼を側方で包囲するものである。
【００３７】
次に、図７ｂに示されているように、駆動部分が、駆動部分に近接する両長手パイプ１１５が両ガイドローラ３３に係合するまでレース状の形鋼７に対して案内される。レール状の形鋼７への押圧時には、図７ｃに示されているように、駆動部分を形鋼に固結するために、外側の両長手パイプ１１５を包囲するように、離間した両ガイドローラ３４が自動的に一方向へ旋回する。一方向への移動と同時に、ローラ３４は自動的にかみ合い、その結果、形鋼７からの駆動部分の分離が不可能となる。
【００３８】
駆動部分３が形鋼７において固定して配置されている場合には、プラットフォーム５も駆動部分３に結合されることができる。なお、これが図７ｃ及び図７ｄに概略的に示されている。プラットフォーム５の配置においても、図６に関連して記載した機械的なロック部材４５がかみ合うようになっており、その結果、プラットフォーム５の分離が不可能となっている。図７ｄに基づく図示においては、リフト要素が形鋼７に固結されており、その結果、例えば組立工が高圧線送電塔を登ることが可能となっている。
【００３９】
図８（ａ及びｂ）には重要な安全要素が示されており、この安全要素は、レール状の形鋼における駆動部分の制御不能の移動を不可能にすることを保証するものである。特に、リフト要素が、制御不能下で上昇したり、制御不能下でレール状の形鋼の上端部又は下端部を通り過ぎてしまうのを不可能とする必要がある。
【００４０】
図８ａには、中立位置における掛け金１５１が示されており、この掛け金は、ベアリング１５２内で自由に移動可能であり、バネ１５３によってレール１０１の格子部１０５内へ係入されるようになっている。これにより、駆動部分３がレール１０１に固設され、リフトが移動できないようになる。非常時には、掛け金駆動部（磁石）１５４の通電が遮断され、バネ１５３が掛け金１５１を自動的にレール１０１の格子部１０５へ押し込む。
【００４１】
図８ｂには、通電された磁石１５４、緊張されたバネ１５３及び復帰するよう引張られた／緊張された掛け金１５１を備えた駆動部が示されている。通常かつ妨害されないリフトの走行時には、掛け金１５１はこの後ろの位置に緊張され、リフトは移動することができない。
【００４２】
図９には、図４に基づくヘッド部１３がこれに配置された様々な部材及び要素と共に詳細に示されている。上部中央には非常ボタン６１が設けられており、この非常ボタンにより、駆動部分あるいはリフト要素の非常ブレーキが作動され得るようになっている。また、例えばリモート動作のための超音波センサ６３も同様に認識できる。側方では、ヘッド部１３が保護カバー６５を備えており、リフトの人が把持できるよう、この保護カバーには、その側方に把持部７５が設けられている。同様に、側方には谷走行又は山走行のためのロッカスイッチ７３が設けられている。当然、このロッカスイッチ７３を左及び／又は右の側方に配置することができる。
【００４３】
他の操作要素６７は、リフト要素の動作のために設けられている。
【００４４】
ディスプレイ６９には動作に関連した様々なデータを表示することが可能であり、このデータは、封数の他の操作要素７１を用いて調整可能である。また、様々な情報をディスプレイ６９に表示するために、これら操作要素７１によって、様々なメニューを選択することが可能である。
【００４５】
そして、ヘッド部あるいはヘッドコンソール１３を駆動部ケーシングへ結合するために、結合ピン７７が設けられている。
【００４６】
図１０にはリフト要素の様々な部材が再度概略的に示されており、図１０ａでは、搬送のために駆動部分３とプラットフォーム５が互いに分離されている。動作のために、プラットフォーム５と駆動部分３が互いに結合され、図１０ｃによれば、プラットフォーム及び駆動部分を分離すべきでない場合に、側方に取付輪を配置することも本質的に可能である。
【００４７】
図１１には、固定要素９によってレール状の形鋼７がどのように高圧線送電塔に固定され得るかが示されている。レール状の形鋼７は周知のように互いに当接する２つの形鋼部分１０１の範囲に結合要素１２１を備えており、この結合要素には、固定要素をネジ結合部１４３によって固定して配置することができる。固定要素９は、形鋼とは反対側に孔状の開口部１４５を備えており、この開口部１４５により、ここでも例えばネジ結合部によって形鋼を高圧線送電塔に取り付けることが可能である。
【００４８】
最後に、図１２には、本発明によるリフト装置１によって人２がどのようにしてレール状の形鋼７に沿って高圧線送電塔又は風力タービンの鉄塔を登り、あるいはこれから再び降りることができるかが原理図を用いて示されている。駆動部分３及びプラットフォーム５から成る本発明によるリフト装置１は、高圧線送電塔６におけるレール状の形鋼に沿って上方へ走行するために、人２によって使用される。このとき、人がヘルメット８４をかぶり、ベルト８５で保護されていることが重要であり、ベルトを締めることは、例えば監視手段８７によって保障されることが可能である。リフトの駆動がベルトを締めた人によってのみ実行可能であるよう、リフト要素の動作が監視センサと連携されているのが好ましい。また、プラットフォームにおける過剰な負荷を荷重センサ８９によって保障するため、例えばプラットフォームの範囲に配置された速度センサ９１によって動作を監視するためなどのために他の監視要素を設けることも可能である。
【００４９】
図１〜図１２に関連して示された要素、形鋼部材、リフト装置の構成部材などは、本発明の良好な説明のための単なる例を示すものである。当然、形状は、各要求に適合されるべきであるとともに、本発明に基づき示されたリフト要素は、他の構成部材によって補足されてもよい。また、レール状の形鋼の形状も様々なものとすることが可能であり、Ｕ字状の形状は単なる例示にすぎない。言及し、及び図において記載したレール状の形鋼の代わりに、他の形態で形成された、記載されたリフト要素の昇降のためのガイド部材も考えられる。さらに、例えばスタンド状のガイド部材又は一部材若しくは多部材から成るガイド部材も考えられ、これらにおいてリフト要素を固定し及び移動させることが可能である。しかし、例えば高圧線送電塔に固定して配置されたガイドロープも場合によっては本発明に基づき記載されたリフト要素の着脱自在な取付に適し得る。
【００５０】
また、リフト要素が、駆動部分と、この駆動部分に着脱自在なプラットフォームとの少なくとも二部材から成ることが好ましい。リフト要素は、独立して搬送及び持ち運び可能であるべきであり、使用する場所から使用する場所へ（多くの固定して設けられたレールへ）持ち運べるべきである。負荷に関しては、例えば最大３０ｋｇの重量というような対応する規則が定義された法的な規定が参照される。また、持ち運び性は、例えばアルミニウム、アルミニウム合金、繊維強化性複合材料などの軽量構造材料によってリフト要素が軽量構造で製造されることによりサポートされる。また、リフト要素のレール状の形鋼又はガイド部材からの完全な独立を保証するために、リフト要素自体に配置された駆動部が電池又は燃料タンクからエネルギー供給されるのが望ましい。最後に、フィルと要素の操作は、無線で遠隔制御されることが可能である。すなわち、駆動部は、遠隔制御によって操作可能である。
【符号の説明】
【００５１】
１            リフト要素
２            人
３            駆動部分及びガイド部
５            プラットフォーム
６            高圧線送電塔
７            形鋼
９            固定要素又は固定ハンガ
１３          ヘッド部
１５’，１５”  モータユニット
１９          電子部品ケーシング
２１          カバー
２３          プラットフォーム支持部材
３１          駆動部カバー
３３，３４    ガイドローラ
３７          歯車
４１          ピン
４２          旋回軸
４５          ロック部材
４９          電池セル
５１          電子コネクタ
５２          脚部
５３          把持部
６１          非常ボタン
６３          超音波センサ
６５          保護カバー
６７          操作要素
６９          ディスプレイ
７１          操作要素
７３          ロッカスイッチ
７５          把持部
７７          結合ピン
８４          ヘルメット
８５          （安全）ベルト
８７          監視（部、手段、装置）
８９          荷重センサ
９１          速度センサ
１０１        レール
１０１’，１０１”  形鋼要素
１０５        格子部
１０５’，１０５”  ラック部分
１０７’，１０７”  孔
１０９’，１０９”  脚部面
１１１’，１１１”  穿孔部
１１３’，１１３”  孔
１１５’，１１５”  長手パイプ
１２１        結合要素
１２３        側方脚部
１２５        穿孔部
１２７        孔
１２９        リベット
１３３        ピン
１４３        ネジ結合部、螺着部
１４５        開口部
１５１        掛け金
１５２        ベアリング
１５３        バネ
１５４        掛け金駆動部
【図１ａ）】
2014512318.tif 000003
【図１ｂ）】
2014512318.tif 000004
【図２ａ）】
2014512318.tif 000005
【図２ｂ）】
2014512318.tif 000006
【図３】
2014512318.tif 000007
【図４】
2014512318.tif 000008
【図５】
2014512318.tif 000009
【図６】
2014512318.tif 000010
【図７】
2014512318.tif 000011
【図８ａ】
2014512318.tif 000012
【図８ｂ】
2014512318.tif 000013
【図９】
2014512318.tif 000014
【図１０】
2014512318.tif 000015
【図１１】
2014512318.tif 000016
【図１２】
2014512318.tif 000017
【国際調査報告】
2014512318.tif 000018
2014512318.tif 000019
2014512318.tif 000020
2014512318.tif 000021
2014512318.tif 000022
2014512318.tif 000023
2014512318.tif 000024
2014512318.tif 000025